(57)【要約】      （修正有）【課題】押圧操作により、マニキュアを定量出して使用できるマニキュア容器改良構造を提供する。【解決手段】マニキュアを充填する容器本体１０の一端に、ブラシ面１４を有する出液弁座１３を装着し、本体内部は中空の液槽１２で、底部は、推進棒２１が螺紋面により回転する設計で、本体外底端の制御素子２７の押圧により、棘歯素子２４が回転し、棘歯素子と推進棒の旋動により、単一方向で推進棒を移動させ、弁板２２が液料を押し出し、出液弁座からブラシ面１４に流出して、マニキュアを塗ることができる。【選択図】図４
0003148731.tif 000002
【実用新案登録請求の範囲】
【請求項１】
マニキュア容器の改良構造であって、マニキュア液を充填する容器主体である管形本体からなり、管内に推進棒を有して、定位環形素子に穿入し、更に、前記推進棒の定方向移動を制御する棘歯素子を有し、前記本体管頂端に出液口を有し、ブラシ面を有する出液弁座等の素子を装着し、その特徴は、前記本体管形中段内縁管面上に、定位凸部を環設し、前記本体を上下両段部分に分け、上半段部分は中空の液槽で、その頂端の出液端に前記出液弁座を装着し、出液端から延伸したブラシでマニキュアを塗ることが出来、
前記本体下半部の内管縁は定位環形素子を穿置し、前記定位凸部縁面と挿合定位し、前記定位環形素子は中央に螺孔を有して、前記推進棒を穿入し、前記推進棒の穿入端は弁板を枢接して、本体内部の出液操作を実行し、前記推進棒面は平坦な定位辺面を有し、
前記定位環形素子は、前記本体内縁の定位凸部縁面に定位した後、凹入した内底縁面上に弾性素子を設置して、棘歯素子を抵止させ、前記棘歯素子内縁に凸設配列された凸棒が前記定位辺面で抵止し、前記推進棒と一体架設し、前記棘歯素子の底縁は、定方向に環列された棘歯面を有し、歯面は、塑性歯棒頂縁歯面と噛合し、前記塑性歯棒を塑性環形素子中央に穿入し、前記本体末端で、制御素子を直接、前記塑性歯棒末端に穿組して連接し、前記制御素子の押圧により、前記塑性歯棒を駆動して、内向きに滑移させ、前記塑性歯棒頂縁の歯面と前記棘歯素子の単一方向の噛合連動により、前記棘歯素子が定方向に回転し、前記推進棒が同方向に回転し、前記推進棒の弁板が前記出液端に旋動して、液料が押し出され、内置された弾性素子の弾性回復動作により、前記制御素子は、出液の連続操作使用が可能であることを特徴とするマニキュア容器の改良構造。
【請求項２】
前記推進棒棒面は平坦な定位辺面を有し、棒体の一側、或いは、両側辺面に設置されることを特徴とする請求項１に記載のマニキュア容器の改良構造。
【請求項３】
前記弁座外側は、蓋により蓋合されて、容器を密閉することを特徴とする請求項１に記載のマニキュア容器の改良構造。
【請求項４】
前記蓋の内部は、弾性素子を設置した封閉素子を有し、完全な密封効果を達成することを特徴とする請求項１に記載のマニキュア容器の改良構造。
【請求項５】
前記塑性歯棒を塑性環形素子中央に穿入し、前記塑性環形素子内底部は凸出した定位リブ面を設置して、前記塑性歯棒を中に穿入した後、軸向きに滑移できることを特徴とする請求項１に記載のマニキュア容器の改良構造。
【考案の詳細な説明】
【技術分野】
【０００１】
本考案は、マニキュア容器の構造に関するものであって、特に、押圧操作で、定量のマニキュア液が瓶口からブラシに均一に押し出されるマニキュア容器の改良構造に関するものである。
【背景技術】
【０００２】
公知のマニキュアは、通常、液料を直接、瓶状容器内部に装入し、図６で示されるように、細長い瓶状の充填容器本体（３０）にマニキュア液を充填し、本体（３０）頂部瓶口は、蓋（３１）により旋合封閉する。蓋（３１）の内部中央にブラシ棒（３２）を延伸し、棒体末端はブラシ面（３３）を形成し、収置時、直接、棒を本体（３０）の容器内部に挿入し、瓶具内部のマニキュア液中に埋置する。使用時は、蓋を開け、引き出せばよい。引き出すブラシ面（３３）上には、通常、過多な液体が付着し、塗る時に不便であるので、使用前に、余分な液体を瓶口で削ぎ、適当な液量にする必要がある。しかし、よく見られるのは、なめらかなブラシ棒（３２）の棒面上に、液料が付着し、棒面が滑らかであるため、棒面上に付着した大量の顔料は、棒の引き出し時に、一定の重量になると、水滴状になって落ち始め、マニキュアを塗る時に汚損が生じる。更に、ブラシ面に再度マニキュア液を付着させて使用する時、適量の付着が難しく、瓶口で何往復かさせてそぎ落とさなければいけないので不便である。よって、簡単に定量が出液し、安全に使用できるマニキュア容器の設計が必要である。
【考案の開示】
【考案が解決しようとする課題】
【０００３】
本考案の目的は、上述の欠点を改善するマニキュア容器の改良構造を提供することにある。
【課題を解決するための手段】
【０００４】
本考案のマニキュア容器の改良構造は、マニキュアを充填する容器本体一端に、ブラシ面を有する出液弁座を装着し、本体内部は中空の液槽空間で、底部は、推進棒が螺紋面により回転する設計で、本体外底端の制御素子の押圧により、棘歯素子が回転し、単一方向で推進棒を回転させ、弁板が液料を押し出し、出液弁座からブラシ面に流出して、マニキュアを塗ることができる。
【考案の効果】
【０００５】
本考案のマニキュア容器改良構造により、簡単な押圧操作で、定量のマニキュア液が瓶口からブラシに均一に押し出され、マニキュアの使用が便利である。
【考案を実施するための最良の形態】
【０００６】
本考案の構造は、図１〜図５で示されるように、主に、マニキュア液を充填する容器主体である管形本体（１０）からなり、中空内部中段内縁管面上に、等間隔の定位凸部（１１）を環設し、上下両段部分に分けられる。上半段部分は主に、液体、或いは、ペースト状流体を充填する液槽（１２）で、その頂端は出液口を形成し、出液弁座（１３）を装着する。更に、出液端から延伸するブラシ面（１４）を有し、外端は蓋（１５）により出液口縁を蓋合する。蓋（１５）の内部は、弾性素子（１６）を設置した封閉素子（１７）を有し、出液弁座（１３）、及び、ブラシ面（１４）を蓋（１５）で蓋覆すると、完全な密封効果を達成し、漏れを防止する。また、本体（１０）下半部の内管縁は定位環形素子（２０）を穿置し、定位凸部（１１）縁面と挿合定位する。定位環形素子（２０）は中央に螺孔を有して、推進棒（２１）を穿入し、推進棒（２１）の穿入端は、本体（１０）内径と相同の弁板（２２）を枢接して、推進棒（２１）が本体（１０）内部で回転するのを制御して、出液操作を実行する。また、推進棒（２１）一側、或いは、両側は平坦な定位辺面（２１１）を有し、液推出操作は、定位環形素子（２０）が本体（１０）内縁の定位凸部（１１）縁面に定位した後、凹入した内底縁面上に弾性素子（２３）を設置して、棘歯素子（２４）を抵止させ、棘歯素子（２４）内縁に凸設配列された凸棒（２４１）が定位辺面（２１１）で抵止し、推進棒（２１）と一体架設する。棘歯素子（２４）の底縁は、等分で定方向に環列された棘歯面（２４２）を有し、歯面は、塑性歯棒（２５）頂縁歯面と噛合し、塑性歯棒（２５）を塑性環形素子（２６）中央に穿入し、塑性環形素子（２６）内底部は凸出した定位リブ面（２６１）を設置して、塑性歯棒（２５）を中に穿入した後、軸向きに滑移できる。また、本体（１０）末端で、制御素子（２７）を直接、塑性歯棒（２５）末端に穿組して連接し、制御素子（２７）の押圧により、塑性歯棒（２５）を駆動して、内向きに滑移させ、塑性歯棒（２５）頂縁の歯面と棘歯素子（２４）の単一方向の噛合連動により、棘歯素子（２４）が定方向に回転し、推進棒（２１）が同方向に回転し、定位環形素子（２０）と定位凸部（１１）の係固により、推進棒（２１）が自然にもう一端に伸出する旋転が生じ、同時に、弁板（２２）が液槽（１２）の内端に推進されて、槽内の液料が押し出される。図３、図４で示されるように、制御素子（２７）の上下押圧操作と、推進棒（２１）の旋動を制御し、塑性歯棒（２５）頂端歯面と棘歯面の単一方向の噛合旋動により、推進棒（２１）は定方向の出液操作を実行し、内置された弾性素子（２３）の弾性回復動作により、制御素子（２７）、及び、連動する各素子は、自動的に押圧される前の位置に回復して、出液の連続操作使用が可能である。
【０００７】
マニキュアを塗る時、使用者は、蓋合された蓋（１５）を開けて、制御素子（２７）を押圧し、塑性歯棒（２５）の歯面により棘歯素子（２４）の回転を制御し、推進棒（２１）が回転して上に推頂し、液槽（１２）内部の液料が出液弁座（１３）の外側に押し出され、均一にブラシ面（１４）上に分布し、図５で示されるように、ブラシ面（１４）を爪に当てて、直接塗ることができる。押圧出液の制御により、マニキュアは均一に爪に塗ることができ、液料が少なくなると、制御素子（２７）を押して、液料を補充し、常に適量を出すことができる。
【０００８】
本考案のマニキュア出液とブラシの操作設計は、制御素子（２７）の簡単な押圧操作により、塑性歯棒（２５）の上下移動を制御して、棘歯素子（２４）の棘歯面の連動により、回転式の移動を形成し、推進棒（２１）が旋転して出液させ、棘歯面の適時の係固により、逆転を防止し、更に、推進棒（２１）頂端の弁板（２２）の封閉密封設計により、内部に充填された液が漏れることがない。特に、蓋（１５）の気密式蓋合収置により、完全な気密性が達成される。更に、液料の変質を防止し、押出圧力の安定を維持すると共に、定量押出を達成するため、構造全体が塑性成型であり、組み立てが簡単で、塑性材料の使用により、軽量化するだけでなく、生産コストを減少させ、使用後、回収処理ができる。
【図面の簡単な説明】
【０００９】
【図１】本考案の容器本体構造の立体分解図である。
【図２】本考案の容器本体の組み立て断面図である。
【図３】本考案の出液使用動作図である。
【図４】本考案の出液後の構造断面図である。
【図５】本考案のマニキュア使用動作図である。
【図６】公知のマニキュア容器のを示す図である。
【符号の説明】
【００１０】
本体（１０）
定位凸部（１１）
液槽（１２）
出液弁座（１３）
ブラシ面（１４）
蓋（１５）
弾性素子（１６）
封閉素子（１７）
定位環形素子（２０）
推進棒（２１）
定位辺面（２１１）
弁板（２２）
弾性素子（２３）
棘歯素子（２４）
凸棒（２４１）
棘歯面（２４２）
塑性歯棒（２５）
塑性環形素子（２６）
定位リブ面（２６１）
制御素子（２７）
充填容器本体（３０）
蓋（３１）
ブラシ棒（３２）
【図１】
0003148731.tif 000003
【図２】
0003148731.tif 000004
【図３】
0003148731.tif 000005
【図４】
0003148731.tif 000006
【図５】
0003148731.tif 000007
【図６】
0003148731.tif 000008